(57)【要約】【課題】カール防止と裏抜け防止を両立し、保存安定性に優れた普通紙用インクジェットインクを提供すること。【解決手段】顔料、ポリマー、水及び水溶性有機溶剤を含有し、水の含有量が全インク質量の１０質量％以上５０質量％未満であり、該水溶性有機溶剤のうち最も多く含有する水溶性有機溶剤のＳＰ値（（ＭＰａ）1/2）が１６．５以上２４．６未満であり、更に該ＳＰ値が１６．５以上２４．６未満の水溶性有機溶剤の含有量が全インク質量の３０質量％以上であり、且つＺｎ2+イオンをインク全体の０．０５〜５０ｐｐｍ含有していることを特徴とするインクジェットインク。【選択図】なし【特許請求の範囲】
【請求項１】
顔料、ポリマー、水及び水溶性有機溶剤を含有し、水の含有量が全インク質量の１０質量％以上５０質量％未満であり、該水溶性有機溶剤のうち最も多く含有する水溶性有機溶剤のＳＰ値（（ＭＰａ）1/2）が１６．５以上２４．６未満であり、更に該ＳＰ値が１６．５以上２４．６未満の水溶性有機溶剤の含有量が全インク質量の３０質量％以上であり、且つＺｎ2+イオンをインク全体の０．０５〜５０ｐｐｍ含有していることを特徴とするインクジェットインク。
【請求項２】
前記Ｚｎ2+イオンをインク全体の０．１〜１０ｐｐｍ含有していることを特徴とする請求項１に記載のインクジェットインク。
【発明の詳細な説明】
【技術分野】
【０００１】
本発明は、インクジェットインクに関する。
【背景技術】
【０００２】
近年、インクジェット記録方式は簡便・安価に画像を作成できるため、写真、各種印刷、マーキング、カラーフィルター等の特殊印刷など、様々な印刷分野に応用されてきている。特に微細なドットを出射、制御するインクジェット記録装置や、色再現域、耐久性、出射適性等を改善したインク及びインクの吸収性、色材の発色性、表面光沢などを飛躍的に向上させた専用紙を用い、銀塩写真に匹敵する画質を得ることも可能となっている。
【０００３】
しかしながら、専用紙を必要とするインクジェット画像記録システムでは、用いることのできる記録媒体が制限されること、記録媒体のコストアップ等が問題となる。
【０００４】
一方、オフィスにおいては、記録媒体（例えば、普通紙、コート紙、アート紙、普通紙両面印刷等）の制約を受けずに高速でフルカラー印字が行えるシステムのニーズが益々高まりつつある。
【０００５】
インクジェットインクの組成についても、高速で印字でき、普通紙での文字再現性が良く、印字の際の裏抜け（印字したインクが記録媒体を通過し、裏面にその画像が映る現象）、フェザリング、画像滲みの発生がなく、また紙への浸透が速く乾燥が速い等の観点で種々の検討が行われてきた。
【０００６】
特に両面印刷を目的とするインクジェット記録装置に関しては、普通紙に両面印刷を行う場合、印字の際の裏抜けが大きいと裏抜けした像と裏面の印字内容が重なってしまい、非常に見づらい印刷となってしまう。
【０００７】
一方、高速印字を念頭に置いたプリント形態の場合、印刷物が印刷直後に重ねられてしまい、下の紙のインクが上の紙の裏面に写ってしまうため、印刷物の表面乾燥性が求められる。同時に高速搬送での紙のジャムを防ぐために、カールとコックリングのない印刷物が必要とされている。
【０００８】
印刷物の表面乾燥性を高めるための手段として、乾燥手段を設ける方法が開示されている（例えば、特許文献１参照。）。その方法によれば、赤外線により乾燥を行うことで遅乾性のインクであっても短時間で乾燥させることができ、高速な印刷を達成できるとある。
【０００９】
しかし、上記方法では乾燥によるカールが起こってしまうという問題があった。これに対し、乾燥で起こったカールを矯正する機構を設ける方法が開示されている（例えば、特許文献２、３参照。）。これら方法はカールの矯正を行う時間が必要となることと装置の増大化が起こることから、大型の装置や工業ライン上では有用であるが、オフィスなどの仕様には向いておらず、コスト面での負荷も大きい。
【００１０】
一方、印刷物の表面乾燥性を高めるための手段として、インクに表面乾燥性を持たせる方法が考案されている。出射安定性と表面乾燥性がともに達成される方法として、紙の中へのインクの浸透性を高めることで表面乾燥性を高め、高速印字を実現する方法が開示されている。例えば、ブリストウ法によるぬれ時間を規定したインクが開示されている（例えば、特許文献４参照。）。
【００１１】
しかし、浸透性の高いインクを使用した場合、インク色材が紙内部に浸透しやすく、裏抜けが大きくなり、通紙の両面に印字を行う場合、印刷品位が悪くなるという問題があった。
【００１２】
また、水性インクジェットインクに代えて、高速で印字を行うことのできるソルベント系インクも検討されている。即ち、揮発性溶剤を含有して乾燥性を高めた油性インク（ソルベント系インクジェットインク）を用いることで、普通紙に印字しても記録媒体への浸透が速く乾燥時間が短く、記録媒体のカール等が生じず、高速な印字が可能である。しかしながら、ソルベント系インクも紙内部への浸透性が高いため、裏抜けを引き起こし、特に普通紙の両面に印字を行う場合の大きな障害となっていた。
【特許文献１】特開昭６３−２５２７７２号公報
【特許文献２】特開２００１−３０１１５１号公報
【特許文献３】特開２００２−１８７２６４号公報
【特許文献４】特開平１０−３１６９１５号公報
【発明の開示】
【発明が解決しようとする課題】
【００１３】
本発明の目的は、カール防止と裏抜け防止を両立し、保存安定性に優れた普通紙用インクジェットインクを提供することにある。
【課題を解決するための手段】
【００１４】
本発明の上記目的は、下記構成により達成される。
【００１５】
１．顔料、ポリマー、水及び水溶性有機溶剤を含有し、水の含有量が全インク質量の１０質量％以上５０質量％未満であり、該水溶性有機溶剤のうち最も多く含有する水溶性有機溶剤のＳＰ値（（ＭＰａ）1/2）が１６．５以上２４．６未満であり、更に該ＳＰ値が１６．５以上２４．６未満の水溶性有機溶剤の含有量が全インク質量の３０質量％以上であり、且つＺｎ2+イオンをインク全体の０．０５〜５０ｐｐｍ含有していることを特徴とするインクジェットインク。
【００１６】
２．前記Ｚｎ2+イオンをインク全体の０．１〜１０ｐｐｍ含有していることを特徴とする前記１に記載のインクジェットインク。
【発明の効果】
【００１７】
本発明により、カール防止と裏抜け防止を両立し、保存安定性に優れた普通紙用インクジェットインクを提供することができた。
【発明を実施するための最良の形態】
【００１８】
顔料、ポリマー、水及び水溶性有機溶剤を含有し、水の含有量が全インク質量の１０質量％以上５０質量％未満であり、該水溶性有機溶剤のうち最も多く含有する水溶性有機溶剤のＳＰ値（（ＭＰａ）1/2）が１６．５以上２４．６未満であり、更に該ＳＰ値が１６．５以上２４．６未満の水溶性有機溶剤の含有量が全インク質量の３０質量％以上であるインクジェットインクにおいては、溶剤が疎水的であるためセルロースとの相互作用が起こりにくくカールが起こらない。一方、水を含有しており、該疎水的な溶剤も水と相溶できる溶剤であるため水系の顔料が分散に使用でき、このため裏抜けが起こらない。
【００１９】
更に上記カールと裏抜けのないインクジェットインクに対し、少量のＺｎ2+イオンが含まれることで係るインクの特性を全く損なうことなく、インクの分散安定性を向上させることができる。
【００２０】
本発明の係るインク溶剤においては、有機溶剤を大量に含んでいるため、分散剤が広がりにくく立体排除効果が得られ難い上、インク溶剤の誘電率が低いため電荷的にも安定が難しい。
【００２１】
本発明者らは、本発明に係るインクの溶剤にＺｎ2+イオンを０．０５〜５０ｐｐｍ含むことで上記インクの保存安定性を向上できることを見いだした。
【００２２】
これは該Ｚｎ2+イオンが分散剤の間で緩い架橋のような構造を取り、架橋となったＺｎ2+同士が反発しあうため、本発明における溶剤中においても分散剤の広がりが安定すると考えている。更に若干の電荷により反発力を得ることができることも、分散安定性向上に寄与しているものと考えている。
【００２３】
しかし、大量にＺｎ2+が存在すると電荷の影響により分散安定性を損なってしまう。本研究者らは、本発明の系において係る範囲となるように、Ｚｎ2+イオン量を０．０５〜５０ｐｐｍの範囲にコントロールすることで、分散安定性の高いインクができることを見出した。
【００２４】
インクの亜鉛濃度を規定したインクジェットインクの技術として、特開平８−３１１３８１号公報にインク中の亜鉛の量を規定する方法が開示されているが、該技術は染料に該当する記載しかなく、また実施の形態として本発明の要件を満たすインク溶剤の使用はなされていない。従って、本発明の要件を満たす溶剤において顔料に限定された系と該特許の実施される系とは全く結果が異なり、従って本発明における効果とは関連がない。
【００２５】
まず、本発明のインクジェットインクは普通紙に吐出することを想定している。本発明における普通紙について説明する。本発明における普通紙とは、一般的に上質紙・中性紙・コピー用紙と呼ばれるものが例として挙げられる。本文中に記録用紙あるいは紙といった場合、普通紙を意味しているものとする。
【００２６】
本発明のインクジェットインクは少なくとも水、水溶性有機溶剤及び顔料を含有する。ここで、水溶性有機溶剤としては水と混合するものであればよく、含有比率も任意である。また、二種類以上の水溶性有機溶剤を併用することも可能である。該水溶性有機溶剤のうち最も多く含有する水溶性有機溶剤のＳＰ値（（ＭＰａ）1/2）が１６．５以上２４．６未満であり、更に該ＳＰ値が１６．５以上２４．６未満の水溶性有機溶剤の含有量が、全インク質量の３０質量％以上である溶剤組成にすることが好ましい。この溶剤組成は水よりも疎水性の高い水溶性有機溶剤を多く含有することから、インク全体の溶解度が高くカールが起こらない。
【００２７】
本発明で言う溶剤の溶解度パラメーター（ＳＰ値）とは、分子凝集エネルギーの平方根で表される値で、Ｒ．Ｆ．Ｆｅｄｏｒｓ，Ｐｏｌｙｍｅｒ  Ｅｎｇｉｎｅｅｒｉｎｇ  Ｓｃｉｅｎｃｅ，１４，ｐ１４７（１９７４）に記載の方法で計算することができる。単位は（ＭＰａ）1/2であり、２５℃における値を指す。
【００２８】
以下、ＳＰ値が１６．５以上２４．６未満に該当する水溶性有機溶剤の例をＳＰ値と共に示す。言うまでもなく、本発明はこれに限定されるものではない。
【００２９】
エチレングリコールモノメチルエーテル（ＳＰ値：２４．５）
エチレングリコールモノエチルエーテル（２３．５）
エチレングリコールモノブチルエーテル（２２．１）
エチレングリコールモノイソプロピルエーテル（２２．３）
ジエチレングリコールモノメチルエーテル（２３．０）
ジエチレングリコールモノエチルエーテル（２２．４）
ジエチレングリコールモノブチルエーテル（２１．５）
ジエチレングリコールジエチルエーテル（１６．８）
トリエチレングリコールモノメチルエーテル（２２．１）
トリエチレングリコールモノエチルエーテル（２１．７）
トリエチレングリコールモノブチルエーテル（２１．１）
プロピレングリコールモノメチルエーテル（２３．０）
プロピレングリコールモノフェニルエーテル（２４．２）
ジプロピレングリコールモノメチルエーテル（２１．３）
トリプロピレングリコールモノメチルエーテル（２０．４）
１，３−ジメチル−２−イミダゾリジノン（２１．８）。
【００３０】
本発明のインクジェットインクでは、ＳＰ値が１６．５以上２４．６未満の水溶性有機溶剤に加えて、従来公知の各種水溶性有機溶剤を併用することができる。
【００３１】
この併用する溶剤として好ましく用いられる水溶性有機溶剤の例としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、１，３−プロパンジオール、１，４−ブタンジオール、１，５−ペンタンジオール、１，２−ペンタンジオール、１，２−ヘキサンジオール、１，２，６−ヘキサントリオール等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン等）、スルホキシド類（例えば、ジメチルスルホキシド等）、スルホン類（例えば、スルホラン等）、尿素、アセトニトリル、アセトン等が挙げられる。
【００３２】
本発明において使用できる顔料としては、従来公知のものを特に制限なく使用でき、水分散性顔料、溶剤分散性顔料等何れも使用可能であり、例えば、不溶性顔料、レーキ顔料等の有機顔料及び、カーボンブラック等の無機顔料を好ましく用いることができる。
【００３３】
本発明に用いられる顔料の色相としては、例えば、イエロー、マゼンタ、シアン、ブラック、ブルー、グリーン、レッドが好ましく用いられ、特に好ましくはイエロー、マゼンタ、シアン、ブラックの各着色剤である。
【００３４】
不溶性顔料としては特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００３５】
好ましく用いることのできる具体的顔料としては、以下の顔料が挙げられる。
【００３６】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００３７】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー１２８、Ｃ．Ｉ．ピグメントイエロー９４、Ｃ．Ｉ．ピグメントイエロー１３８等が挙げられる。
【００３８】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー６０、Ｃ．Ｉ．ピグメントグリーン７等が挙げられる。
【００３９】
以上の他にレッド、グリーン、ブルー、中間色が必要とされる場合には、以下の顔料を単独あるいは併用して用いることが好ましく、例えば、下記である。
【００４０】
Ｃ．Ｉ．ピグメントレッド；２０９、２２４、１７７、１９４、
Ｃ．Ｉ．ピグメントオレンジ；４３、
Ｃ．Ｉ．バットバイオレット；３、
Ｃ．Ｉ．ピグメントバイオレット；１９、２３、３７、
Ｃ．Ｉ．ピグメントグリーン；３６、７、
Ｃ．Ｉ．ピグメントブルー；１５：６。
等が用いられる。
【００４１】
またブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００４２】
本発明で用いられる顔料は、分散剤及びその他所望する諸目的に応じて必要な添加物と共に分散機により分散して用いることが好ましい。分散機としては、従来公知のボールミル、サンドミル、ラインミル、高圧ホモジナイザー等が使用できる。
【００４３】
本発明のインクジェットインクに使用する顔料分散体の平均粒径は、１０ｎｍ以上２００ｎｍ以下であることが好ましく、１０ｎｍ以上１００ｎｍ以下がより好ましく、１０ｎｍ以上５０ｎｍ以下が更に好ましい。顔料分散体の平均粒径が１００ｎｍを越えると、分散が不安定となり。また、顔料分散体の平均粒径が１０ｎｍ未満になっても顔料分散体の安定性が悪くなりやすく、インクの保存安定性が劣化しやすくなる。
【００４４】
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００４５】
更に本発明のインクの特徴として、Ｚｎ2+イオンを０．０５〜５０ｐｐｍ含有する。Ｚｎ2+イオンを５０ｐｐｍを超えて含有させると系内の電気的バランスが崩れ、インクの分散安定性が悪くなり、０．０５ｐｐｍより少ないと本発明の効果が得られない。より好ましくは０．１〜１０ｐｐｍの範囲である。
【００４６】
Ｚｎ2+イオン源としては、水に可溶な亜鉛を含有する塩であれば何でもよい。例えば、ＺｎＢｒ2、ＺｎＩ2、ＺｎＣｌ2、Ｚｎ（ＮＯ3）2、硼酸亜鉛、その他、インクのｐＨ雰囲気中で０．０５ｐｐｍ以上の溶解性を示す有機塩等が挙げられる。好ましくは溶解度の高い亜鉛塩を使用することが、ヘッド目詰まりを防止する上で好ましい。
【００４７】
水に可溶な亜鉛を含有する塩の添加は分散前、あるいは分散液の希釈時に同時に添加する方法が、作業的に簡便で不用意な凝集などを招かないことから好ましい。
【００４８】
インク中のＺｎ2+については、例えば、インクを遠心処理して上澄み成分と沈殿成分とに分離し、その上澄み成分を公知の任意の方法で測定することによりＺｎ2+イオン量を測定することができる。
【００４９】
Ｚｎ2+濃度の調整方法として、Ｚｎは顔料や分散剤などの不純物として含有することもあり、陽イオン交換樹脂で処理した分散液やインクに対して添加して調整することが好ましい。
【００５０】
本発明の係る分散剤とは、分子量が５０００以上、２０００００以下の高分子成分を有する化合物のことを指す。高分子分散剤の種類としては、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体及びこれらの塩、ポリオキシアルキレン、ポリオキシアルキレンアルキルエーテル等を挙げることができる。
【００５１】
本発明の係る分散剤としては、特に分散在中にエーテル結合、エステル結合、カルボニル基、水酸基等の極性の高い基を分子内に有していることが好ましい。エーテル結合、エステル結合、カルボニル基、不飽和炭素、水酸基等の極性の高い基を分子内に有する分散剤を使用することでＺｎ2+をインク中に添加した効果が十分に現れ、良好な分散性を示す。
【００５２】
酸性の高分子分散剤の場合、中和塩基で中和して添加することが好ましい。ここで中和塩基は特に限定されないが、アンモニア、モノエタノールアミン、ジエタノールアミン、トリエタノールアミン、モルホリン等の有機塩基であることが好ましい。
【００５３】
また、本発明において高分子分散剤の添加量としては、顔料に対し１０〜１００質量％であることが好ましい。
【００５４】
本発明のインクジェットインクでは、上記説明した以外に必要に応じて、出射安定性、プリントヘッドやインクカートリッジ適合性、保存安定性、画像保存性、その他の諸性能向上の目的に応じて、公知の各種添加剤、例えば、多糖類、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号の各公報に記載の紫外線吸収剤、特開昭５７−７４１９２号、同５７−８７９８９号、同６０−７２７８５号、同６１−１４６５９１号、特開平１−９５０９１号及び同３−１３３７６号の各公報等に記載されている退色防止剤、特開昭５９−４２９９３号、同５９−５２６８９号、同６２−２８００６９号、同６１−２４２８７１号及び特開平４−２１９２６６号の各公報等に記載されている蛍光増白剤等を挙げることができる。
【００５５】
本発明のインクジェットインクを用いた画像形成方法においては、例えば、インクジェットインクを装填したプリンター等により、デジタル信号に基づきインクジェットヘッドよりインクを液滴として吐出させ、普通紙に付着させることでインクジェットプリントが得られる。
【００５６】
本発明のインクジェットインクを吐出して画像形成を行う際に、使用するインクジェットヘッドはオンデマンド方式でもコンティニュアス方式でも構わない。また吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等などいずれの吐出方式を用いても構わない。
【００５７】
その中でも、本発明に係るインクジェット記録方法においては、本発明のインクジェットインクを３０μｍ以下のノズル径を有するピエゾ型インクジェット記録ヘッドから吐出させて、普通紙に記録を行うこと、更に３０μｍ以下のノズル径を有するラインヘッド方式のピエゾ型インクジェット記録ヘッドから吐出させて、普通紙に記録を行うことを特徴とする。
【００５８】
インクジェットプリンターの印字方式として、シャトルヘッド方式の記録ヘッドに対し、ラインヘッド方式の記録ヘッドを用いて印字することにより、本発明のインクジェットインクの印字特性を十分に引き出すことができ、その結果インク液滴の普通紙への着弾時の極めて良好なドット形状（真円性）や印字精度を達成することができる。
【００５９】
特に、本発明に係るインクジェット記録方式においては、普通紙に画像印字を行うことを目的としている。
【００６０】
両面印字は片面に印字した後に普通紙を裏返し、印字面を下にして搬送することが多いが、本発明のインクジェットインクは前記特性を有しているため、両面に印字しても裏抜けや文字の滲みがないため、いずれの面でも高濃度で文字品質に優れ、また搬送不良が生じたり搬送ベルトがインクで汚染されることがない。
【００６１】
本発明に係るインクジェット記録方法で用いる普通紙としては特に制限はないが、非塗工紙、特殊印刷用紙、及び情報用紙の一部に属する８０〜２００μｍの非コート紙が望ましい。本発明に係る普通紙の構成は、ＬＢＫＰ及びＮＢＫＰに代表される化学パルプ、サイズ剤及び填料を主体とし、その他の抄紙助剤を必要に応じて用い、常法により抄紙される。本発明に係る普通紙に使用されるパルプ材としては、機械パルプや古紙再生パルプを併用してもよいし、またこれらを主材としても何ら問題はない。
【００６２】
本発明に係る普通紙に内添されるサイズ剤としては、例えば、ロジンサイズ、ＡＫＤ、アルニケル無水コハク酸、石油樹脂系サイズ、エピクロルヒドリン、カチオン澱粉及びアクリルアミド等が挙げられる。
【００６３】
また本発明に係る普通紙に内添される填料としては、例えば、微粉珪酸、珪酸アルミニウム、ケイソウ土、カオリン、カオリナイト、ハロイサイト、ナクライト、ディッカイト、パイロフィライト、セリサイト、二酸化チタン、ベントナイト等が挙げられる。
【実施例】
【００６４】
以下に実施例を挙げて本発明を具体的に説明するが、本発明はこれらに限定されるものではない。
【００６５】
実施例１
〔インク分散液の調製〕
表１に記載の組み合わせで顔料と水溶性有機溶剤、水、樹脂とを混合した後、Ｈ型のイオン交換樹脂５０ｇと混合して１時間攪拌し、イオン交換樹脂のみを濾別して取り除いた。しかる後、濾別された混合液に表１の割合で硝酸亜鉛・６水和物または硫酸亜鉛・７水和物を添加し、更に直径１ｍｍのジルコニアビーズ２００ｇと共にガラス瓶に入れ密栓し、ペイントシェーカーにて２時間分散処理して各顔料分散液を調製した後、ジルコニアビーズを除去し、残った液を濾過及び中空糸膜を用いた膜脱気処理を行って、顔料インク１〜１４を調製した。
【００６６】
なお、表中の数値はすべて質量部を示す。
【００６７】
〈高分子化合物〉
樹脂１：メタクリル酸、メタクリル酸メチル、メタクリル酸２−エチルヘキシル、アクリル酸ヒドロキシエチル（質量比＝４０／２０／１０／３０）を重合して得られた共重合体、重量平均分子量＝１２，０００
樹脂２：オキシエチレン、オキシプロピレン（質量比＝７０／３０）を重合して得られた共重合体の末端をラウリル化。重量平均分子量＝２０，０００
樹脂３：ＥＦＫＡ４５７０（ＥＦＫＡ社製  アクリル系高分子化合物）
〈溶剤〉
ＤＰＧＭＥ：ジプロピレングリコールモノメチルエーテル（２１．３）
ＴＰＧＭＥ：トリプロピレングリコールモノメチルエーテル（２０．４）
ＥＧ：エチレングリコール（３２．２）
上記作製した各インク１〜１４について、遠心限外濾過装置によって遠心分離処理した。フィルターとしてはタイプＮＭＷＬ１００００を使用し、遠心条件は２５００Ｇ×６０分とした。その濾液についてＩＣＰ質量分析により分析を行った。各インクの結果は表１に記す。
【００６８】
《インクジェット画像記録》
上記作製したインクをヒューレットパッカード製プリンターＨＰ−ＰＳＣ１６１０の黒のカートリッジに詰め、使用した。Ａ４サイズのコニカミノルタビジネステクノロジー社製のファーストクラス普通紙の一方の面に、フォトショップ７．０により作成した黒１００％のベタ画像を印字して、各インク１〜１４に対し画像１〜１４を作成した。
【００６９】
〔カールの評価〕
上記ベタ画像を印字した各試料を、２３℃、５５％ＲＨの環境下で１週間放置した後、カールの評価を行った。高さ２ｍｍ以上の端部の浮きがなく、且つコックリング（皺）の発生も認められない状態を良好な状態とした。
【００７０】
〔裏抜け耐性の評価〕
各画像について、以下に記載する方法で裏抜けを評価したが、いずれのインクにおいても良好な結果を示し、各画像間において大きな差異はなかった。
【００７１】
上記形成した各画像１〜１４について、記録印字面（Ａ面と言う）と裏面（Ｂ面と言う）の画像部及び非画像部のそれぞれの濃度を測定し、以下、式に従って裏抜け濃度率を測定し、下記の評価基準に従って裏抜け耐性の評価を行った。
【００７２】
裏抜け濃度率＝（Ｂ面の画像濃度−Ｂ面の未印字部濃度）／（Ａ面の画像濃度−Ａ面の未印字部濃度）×１００（％）
裏抜け濃度率が８％未満である状態を良好な状態とした。
【００７３】
〔インクの保存安定性の評価〕
各インク１〜１４について、分散３日後のインク中の顔料の粒径及びインクの粘度を測定した。更に、各インクを６０℃で３週間の保存を行い、再び粒径及び粘度の測定を行い、以下の基準で評価を行った。結果を表１に示す。
【００７４】
◎：粒径及び粘度のどちらかの変動が５％未満
○：粒径及び粘度のどちらかの変動が５％以上、１０％未満
×：粒径及び粘度のどちらかの変動が１０％以上、１５％未満
××：粒径及び粘度のどちらかの変動が１５％以上。
【００７５】
粘度については、振動式粘度計、ビスコメーターＶＭ−１Ｇ（ニッカトー社製）、粒径についてはゼータサイザーナノＳ（マルバーン社製）により測定を行った。
【００７６】
【表１】
2007186541.tif 000002
【００７７】
表１より、カールについては、インク１〜１４を使用した試料はいずれも良好な結果を示し、各画像間で大きな差異はなかった。一方、インク１２、１３、１４を用いたものはいずれもカールが不可であった。また、インクの保存安定性については、Ｚｎ2+イオンを０．０５〜５０ｐｐｍ含有しているとき、更には０．１〜１０ｐｐｍ含有しているとき、特に良好であることがわかる。